(57)【要約】【課題】  例えばパックや箱の上端開口部を覆って塞ぐような形態の包装を行うための包装用シートにおいて、貼り直しが可能で、取り扱い性も良好であるような包装シートの提供。【解決手段】  被包装物２７の上に被せて固定すべく、被包装物２７に対する固定用の粘着部１３を一部に有した包装用シート１１であって、上記粘着部１３を、少なくとも粘着剤層１４と、該粘着剤層１４を被覆する離型シート１５で形成するとともに、該離型シート１５に、該離型シート１５をその幅方向で複数に分割すべく少なくとも一本の切り離し線１６を形成した包装用シート１１。【選択図】    図７
2005206224.tif 000002
【特許請求の範囲】
【請求項１】
被包装物の上に被せて固定すべく、被包装物に対する固定用の粘着部を一部に有した包装用シートであって、
上記粘着部を、少なくとも粘着剤層と、該粘着剤層を被覆する離型シートで形成するとともに、
該離型シートに、該離型シートをその幅方向で複数に分割すべく少なくとも一本の切り離し線を形成した
包装用シート。
【請求項２】
前記離型シートが、粘着剤層の幅よりも幅広である
請求項１に記載の包装用シート。
【請求項３】
前記粘着剤層が、包装用シートに対して粘着剤が直接塗布されて形成されたものである
請求項１又は請求項２に記載の包装用シート。
【請求項４】
包装用シート基材の一部に粘着剤を塗布する粘着剤塗布工程と、
粘着剤が塗布された部位に、離型シートを貼り合わせる貼合工程と、
貼り合わせた離型シートに対して、該離型シートをその幅方向で複数に分割する少なくとも一本の切り離し線を形成する切り離し線形成工程と、
離型シートを貼り合わされた包装用シート基材を所定長さに切断する切断工程とを有する
包装用シートの製造方法。
【請求項５】
包装用シート基材の一部に粘着剤剤を塗布する粘着剤塗布工程と、
粘着剤が塗布された部位に、当該離型シートをその幅方向に複数に分割する少なくとも一本の切り離し線を有する離型シートを貼り合わせる貼合工程と、
離型シートを貼り合わされた包装用シート基材を所定長さに切断する切断工程とを有する
包装用シートの製造方法。
【発明の詳細な説明】
【技術分野】
【０００１】
この発明は、物品の上に被せて使用する包装用シートに関し、より詳しくは、一度包装した後でも貼り直しが利くような包装用シートに関する。
【背景技術】
【０００２】
包装用シートを被せる包装形態として、下記特許文献１に開示されたようなものがある。
【０００３】
この包装形態は、有底箱状の包装容器の上端開口部を透明の包装用シートで塞ぐものである。包装容器は、特許文献１のように紙製のものもあれば、ボール紙や段ボール製の箱、図９に示したような樹脂製のパック１０１など様々な場合がある。
【０００４】
この包装形態に用いられる包装用シート１０２は、包装容器に対しての固定部位である両側部に、両面粘着テープを貼り付けて粘着部１０３が形成されている（図９参照）。
【０００５】
しかし、このような構成の包装用シート１０２であると、一度を剥がすと再度固定することは出来ない。
【０００６】
再度固定できないと、例えば青果物を包装する場合に不都合なことがある。
【０００７】
イチゴ、ぶどう、桃、びわ、ザクロや野菜などの青果物の場合、農家で箱詰め、パック詰めされて出荷されるものがあるが、出荷されてから店頭に並ぶまでにある程度の日数が経つ。このため、一部のものが痛んでしまうことがあるので、店頭に並べる時には中身をチェックし、痛んだものを入れ替える作業が必要になる。
【０００８】
しかし上述の構成の包装用シート１０２では、再度の貼り付けができない。
【０００９】
このため、図１０に示したような粘着部１０４を有した包装用シート１０２を用いることが考えられた。
【００１０】
図１０の粘着部１０４は、両面粘着テープを二重に重ねた構造であって、製造に当たっては、第１両面粘着テープ１０５を包装用シート１０２の所定位置に貼り付けた後、第２両面粘着テープ１０６の離型紙を剥がしながら第１両面粘着テープ１０５の離型紙１０５ａに張り合わせる。
【００１１】
しかし、第１両面粘着テープ１０５の離型紙１０５ａの第２両面粘着テープ１０６を貼り付ける面には離型剤が塗布されているので、単に貼り合わせても貼り付かず、接着を可能にする加工が必要である。また、張り合わせるときに位置ずれしないように注意が必要である。このため、生産効率が悪いという難点がある。
【００１２】
また、両面粘着テープを二重に重ねる構造であるので、粘着部１０４ばかりが嵩高くなり、取り扱いが不便である難点もあった。また取り扱い性を考慮すれば二重にするのが限界である。
【００１３】
【特許文献１】登録実用新案第３０７６５１２号公報
【発明の開示】
【発明が解決しようとする課題】
【００１４】
そこでこの発明は、貼り直しを可能な包装用シートを提供することを主たる課題とする。また、取り扱い性の良好な包装シートを提供するとともに、包装用シートの生産効率を良くすることも課題とする。
【課題を解決するための手段】
【００１５】
そのための手段は、被包装物の上に被せて固定すべく、被包装物に対する固定用の粘着部を一部に有した包装用シートであって、上記粘着部を、少なくとも粘着剤層と、該粘着剤層を被覆する離型シートで形成するとともに、該離型シートに、該離型シートをその幅方向で複数に分割すべく少なくとも一本の切り離し線を形成した包装用シートであることを特徴とする。
【００１６】
すなわち、包装に際しては、幅方向に複数分割可能な離型シートの少なくとも一部を切り離し線より切り離して剥がし、粘着剤層の一部を露出させる。そして、この露出した部分を利用して被包装物に対する固定を行う。被包装物の中身を取り出すなど内部を改める時には、粘着剤層のうちの固定されている部分を剥がして中身の入れ替えなどをした後、再度包装する時には、離型シートのうち残りの部分を剥ぎ取り、新たに現れた粘着剤層の一部を利用して被包装物に対する固定、すなわち貼り直しを行う。離型シートが三分割、四分割可能であるならば、二度、三度と貼り直しが出来る。
【００１７】
なお、上記離型シートが粘着剤層の幅よりも幅広であると、離型シートの剥ぎ取りが容易に行えるのでよい。
【００１８】
また上記粘着剤層が、包装用シートに対して粘着剤が直接塗布されて形成されたものであると、別途に特別な両面粘着テープを製造せずともよく、包装用シートの製造が容易に行える。
【００１９】
別の手段は、包装用シート基材の一部に粘着剤を塗布する粘着剤塗布工程と、粘着剤が塗布された部位に、離型シートを貼り合わせる貼合工程と、貼り合わせた離型シートに対して、該離型シートをその幅方向で複数に分割する少なくとも一本の切り離し線を形成する切り離し線形成工程と、離型シートを貼り合わされた包装用シート基材を所定長さに切断する切断工程とを有する包装用シートの製造方法であことを特徴とする。
【００２０】
さらに別の手段は、包装用シート基材の一部に粘着剤を塗布する粘着剤塗布工程と、粘着剤が塗布された部位に、当該離型シートをその幅方向に複数に分割する少なくとも一本の切り離し線を有する離型シートを貼り合わせる貼合工程と、離型シートを貼り合わされた包装用シート基材を所定長さに切断する切断工程とを有する包装用シートの製造方法であることを特徴とする。
【００２１】
なお、上記各切り離し線は、人手で引き裂くようにした時に離型シートの必要部分を切り離せるものであればよく、ミシン目や、貫通しない切り込みからなる切り離し用罫線などのように離型シートに切り込んで形成した切り離し線のほか、切り離し部分に貼り付けるカットテープの貼り付けにより形成した切り離し線、離型シートの引き裂き可能な方向が一方向のみである場合には端部に切り口（ノッチ）だけを設けた仮想の切り離し線でもよい。
【発明の効果】
【００２２】
この発明によれば、被包装物に対して固定する粘着部を、少なくとも粘着剤層と、該粘着剤層を被覆する離型シートで形成するとともに、該離型シートに、該離型シートをその幅方向で複数に分割すべく少なくとも一本の切り離し線を形成したので、帯状の粘着剤層をその幅方向に複数分割して複数回に分けて使用できる。つまり、一度包装した後でも貼り直しすることができる。
【００２３】
しかも、貼り直しを可能にする粘着部は面方向に広げられたものであり、両面粘着テープを二重に重ねたものに比して、粘着部の厚みを薄くできる。このため、包装用シートの取り扱いが容易である。また両面粘着テープを多層に積層して粘着部を形成した場合には、不測に離型シートが剥がれてしまうようなおそれがあったが、そのような不都合を回避することもできる。
【００２４】
また、この発明の粘着部は、離型シートに切り離し線を形成することで形成できるので、従来のように両面粘着テープを多層に積層する場合に比して、製造も容易である。
【発明を実施するための最良の形態】
【００２５】
この発明を実施するための一形態を、以下図面を用いて説明する。  
図１は、包装用シート１１の裏面を示す平面図で、図２はその要部の分解斜視図である。すなわち、この包装用シート１１は、被包装物に対して掛けて使用するもので、方形をなすシート本体１２の両側部に、帯状に延びる固定用の粘着部１３を形成しており、この粘着部１３は、粘着剤を塗布してなる粘着剤層１４と、この粘着剤層１４を保護する離型シート１５で構成される。
【００２６】
上記シート本体１２の材料は、被包装物の種類に応じて適宜選定される。例えば青果物などの包装用には、ＯＰＰ（ニ軸延伸ポリプロピレンフィルム）、ＣＰＰ（無延伸ポリプロピレンフィルム）、ＰＥ（ポリエチレンフィルム）などからなる透明のフィルムを用いると、内部を見ることが出来るのでよい。このほか、被包装物によっては、有色材料であるのはもちろんのこと、紙等であるもよい。
【００２７】
また上記離型シート１５は、粘着剤層１４の幅よりも幅広に形成された帯状で、合成樹脂フィルムや紙等の適宜材料で形成される。そして幅方向の中間位置には、当該離型シート１５を幅方向に二分割可能にするための切り離し線１６を形成している。
【００２８】
図１、図２では切り離し線１６が、破線状に連なる孔で構成されるミシン目である例を示したが、切り離し線１６は、離型シート１５の一部を人手で引っ張ることによって切り離され得るものであればよい。
【００２９】
図３に切り離し線１６のその他の例を示した。図３（ａ）はミシン目からなる切り離し線１６を波線状に形成した例、図３（ｂ）はミシン目からなる切り離し線１６をパルス波形状に形成した例である。なお、切り離し線１６がこれらの形状の場合には、ミシン目ではなく、連続した切り込みで切り離し線を形成するもよい。
【００３０】
図３（ｃ）は、離型シート１５の厚み方向の表側に切り込みを入れてその部分で容易に引き裂けるようにした切り離し線である。すなわち、貫通しない切り込みからなる切り離し用罫線である。
【００３１】
図３（ｄ）は、カットテープ１７を貼り付けて形成した切り離し線１６で、図中、１８はノッチである。
【００３２】
図３（ｅ）は、一方に易引裂性を有する一軸延伸フィルムで形成した離型シート１５で、易引裂性を有する方向をその長さ方向とし、端部にノッチ１９が形成されている。つまりこの例の切り離し線１６は、仮想線で図示したように、ノッチ１９から先に形成されている仮想の切り離し線である。
【００３３】
このような構成の包装用シート１１は、ロール状に巻いたシート基材２０（図５参照）に対して、図４に示したように、粘着剤塗布工程ｎ１、貼合工程ｎ２、切り離し線形成工程ｎ３、切断工程ｎ４を経て製造される。
【００３４】
上記切り離し線形成工程ｎ３は、切り離し線１６がミシン目からなる場合には、貼合工程ｎ２の後に入れるのが好ましいが、切り離し線１６の形態によっては、貼合工程ｎ２の前に行うことも出来る。例えば、切り離し線１６が貫通しない切り込みからなる切り離し用罫線である場合［図３（ｃ）参照］や、カットテープを貼り付けて形成される場合［図３（ｄ）参照］である。また切り離し線１６を一軸延伸フィルムからなる離型シートに形成する仮想の切り離し線で構成する場合［図３（ｅ）参照］には、特に切り離し線形成工程ｎ３を設けずとも、切断工程ｎ４時にノッチ１９を形成するだけでよい。
【００３５】
図５に、包装用シート１１の製造工程の概略を示した。
【００３６】
送り出されるシート基材２０には、まず接着剤塗布装置２１と粘着剤塗布装置２２を用いて、シート基材２０の片面の両側部に、所定幅で帯状をなす粘着剤層１４を形成する（粘着剤塗布工程ｎ１）。粘着剤は被包装物に対してくっつく部分で、接着剤は、上記粘着剤がシート基材２０に対してしっかりとくっつくようにするためのものである。図示はしないが、接着剤を塗布したあと乾燥を行う。
【００３７】
また、接着剤塗布装置２１と粘着剤塗布装置２２は、例えばロールコータなどの周知の装置で構成される。
【００３８】
粘着剤層１４が形成されたシート基材２０の粘着剤層１４に対しては、次に、離型シート１５を貼り合わせる（貼合工程ｎ２）。離型シート１５は、合成樹脂フィルムや紙で構成した帯状で、粘着剤層１４の幅よりも若干幅広に形成されたものであるのが好ましい。繰り出される離型シート１５の貼り合わせ面には、剥離剤塗布装置２３により剥離剤を塗布する。剥離性のよい離型シート１５を用いる場合には、剥離剤塗布装置２３を省略できる。
【００３９】
そして押圧ローラ２４により離型シート１５をシート基材２０の粘着剤層１４に貼り合わせ、粘着部１３を構成する。
【００４０】
貼合工程ｎ２の後は、切り離し線形成工程ｎ３に移行する。すなわち、切り離し線形成装置２５により、離型シート１５の幅方向の中間位置に切り離し線１６を形成する。切り離し線形成装置２５は、切り離し線１６がミシン目や貫通しない切り込みからなる切り離し用罫線の場合には刃物やレーザでカットする周知のハーフカット装置で構成するとよい。また、切り離し線１６をカットテープ１７の貼り付けで形成する場合には、カットテープ１７を貼り付ける貼り付け機で構成するとよい。
【００４１】
切り離し線１６を仮想の切り離し線で形成する場合には、切り離し線形成工程ｎ３は不要である。
【００４２】
また、切り離し線形成工程ｎ３を貼合工程ｎ２の直前に置いて、つまり図４の切り離し線形成工程ｎ３と貼合工程ｎ２を入れ替えて、切り離し線１６を予め形成した離型シート１５を、シート基材２０に対してすぐに貼り合わせるようにするもよい。切り離し線形成装置２５を、刃物からなる安価なもので構成でき、製造コストを抑えることができる。
【００４３】
次に、切断工程ｎ４に移行し、粘着部１３ごとシート基材２０を、所定長さに切断し、包装用シート１１を得る。切断は、周知の切断装置２６で行う。
【００４４】
なお、切り離し線１６の形態によってノッチ１８，１９が必要な場合には、この切断工程ｎ４において、ノッチ１８，１９の形成を行うとよい。
【００４５】
以上のようにして構成した包装用シート１１は、その粘着部１３が、図６に示したように、離型シート１５を２回にわたって剥ぎ取ることが出来るものである。
【００４６】
このため、次のように使用することができる。
【００４７】
図７は、使用形態の一例を示した説明図で、被包装物として、青果物を包装するパック２７を包装する場合について示している。
【００４８】
すなわち、包装用シート１１はパック２７の上面開口部を閉塞するように被せて使用するもので、農家や組合で青果物を出荷する段階のパック詰めの時には、２回に分けて剥がせる離型シート１５のうちの一方のみを剥がして、図７（ａ）に示したようにパック２７に被せる。
【００４９】
次いで、納入されたパック詰めの青果物を販売者が店頭に並べる時、パック２７に詰められた青果物のうち痛んだものがあれば、それを取り出し、入れ替える必要がある。このとき、再度の包装を考慮する必要もなく、図７（ｂ）に示したように包装用シート１１を剥がして、パック２７を開ければよい。
【００５０】
入れ替えなどの必要な処理が済んだ後は、図７（ｂ）に仮想線で示したように、残る離型シート１５を剥がして、粘着剤層１４の新たな部分を露出させる。そして、図７（ｃ）に示したように粘着剤層１４の新たな部分で貼り付けを行い、元通りの状態に包装が完了する。
【００５１】
このように、被包装物に対して固定する粘着剤層１４を一部ずつ、２回に分けて露出させることができるので、２回貼ることができる。つまり、一度包装した後でも貼り直しすることが可能である。
【００５２】
しかも、貼り直しを可能にする粘着部１４は面方向に広げられたものであり、両面粘着テープを二重に重ねて構成したもの（図１０参照）に比して、粘着部１３の厚みを薄く出来る。このため、包装用シート１１の取り扱いが容易である。また両面粘着テープを多層に積層して粘着部を形成した場合には、外力により不測に離型シートが剥がれてしまうようなおそれがあったが、そのような不都合はない。
【００５３】
また、粘着部１３はシート基材２０に対して直接塗布するとともに、離型シート１５に切り離し線１６を形成すればよいので、製造が容易である。
【００５４】
さらに、離型シート１５は粘着剤層１４よりも幅広に形成しているので、剥がす作業はシート本体１１を曲げるだけで容易に行え、作業性は良好である。
【００５５】
この発明の構成と、上述の一形態の構成との対応において、  
この発明の被包装物は、上記一形態のパック２７に対応するも、  
この発明は、上記一形態の構成のみに限定されるものではない。
【００５６】
例えば、被包装物は、パック２７や箱などのような容器状のものではなく、商品などの物品そのものであるもよい。
【００５７】
また、粘着部１３は、帯状に連続して形成したものではなく、たとえば点状に単独で、又は列に並べて形成されたものであるもよい。
【００５８】
さらに、包装用シート１１に形成する粘着部の全てを、貼り直しを可能にする粘着部１３で構成せずに、一部のみ、例えば上述の例のように両側部に粘着部を形成する場合には、いずれか一方の粘着部のみを、貼りなおしを可能にする粘着部１３で構成することもできる。
【００５９】
さらにまた、貼り直しが確実に予定されている包装用シートの場合には、第１回目の固定が仮止め程度に軽く行えるようにすべく、切り離し線１６の形成位置をずらして、露出する接着剤層１４の面積に違いをもたせるとよい。
【００６０】
すなわち、一本の切り離し線１６を形成する場合には、図８（ａ）に示したように、切り離し線１６の位置を幅方向の中間ではなく、一方にずらして形成する。そして、第１回目の固定に際しては、離型シート１５のうちの幅狭部分を剥がして固定を行う。
【００６１】
また、図８（ｂ）に示したように、離型シート１５に二本の切り離し線１６，１６を形成し、これらの間隔を、それらより外側の間隔よりも狭く設定して、第１回目の固定に際しては、離型シート１５のうちの中間部分を剥がして固定を行う。
【００６２】
そして、再度の固定に際しては、残る全ての離型シート１５を剥がして、本止めを行う。
【００６３】
このように第１回目の固定時に露出させる粘着剤層１４の面積を調整して、第１回目の固定力を弱めに設定すれば、剥がすことが用に行えるので、内部の改めなどの作業が寄り迅速に行えるという効果が得られる。
【図面の簡単な説明】
【００６４】
【図１】包装用シートの裏面図。
【図２】要部の斜視図。
【図３】切り離し線の平面図。
【図４】製造工程の工程説明図。
【図５】製造工程の説明図。
【図６】作用状態の斜視図。
【図７】使用状態の説明図。
【図８】他の例に係る接着部の平面図。
【図９】従来の包装用シートの使用状態の斜視図。
【図１０】従来技術の要部斜視図。
【符号の説明】
【００６５】
１１…包装用シート
１３…粘着部
１４…粘着剤層
１５…離型シート
１６…切り離し線
２０…シート基材
２７…パック
ｎ１…粘着剤塗布工程
ｎ２…貼合工程
ｎ３…切り離し線形成工程
ｎ４…切断工程
【図１】
2005206224.tif 000003
【図２】
2005206224.tif 000004
【図３】
2005206224.tif 000005
【図４】
2005206224.tif 000006
【図５】
2005206224.tif 000007
【図６】
2005206224.tif 000008
【図７】
2005206224.tif 000009
【図８】
2005206224.tif 000010
【図９】
2005206224.tif 000011
【図１０】
2005206224.tif 000012